(57)【要約】      （修正有）【課題】手袋に染み込んだ汗等の不快な臭いが消臭されるとともに、清潔且つ衛生的な状態に保つことができる手袋用挿入体を提供する。【解決手段】手の指が個別に挿入されるグラブ型を有する手袋Ａの内部に挿入することができる大きさ及び形状に形成されたステンレス製の板からなる挿入体２の外面全体に、薄膜状の銅被膜３が略均一にコーティングされる。銅被膜３の抗菌作用、殺菌作用、消臭作用により、手袋Ａに付着する雑菌の増殖が抑えら、手袋Ａに染み込んだ汗等の不快な臭いを消臭することができる。【選択図】図４
0003152429.tif 000002
【実用新案登録請求の範囲】
【請求項１】
手袋内部に挿入される挿入体の外面に銅被膜がコーティングされた
手袋用挿入体。
【請求項２】
前記挿入体の一部外面又は外面全体に銅被膜がコーティングされた
請求項１に記載の手袋用挿入体。
【請求項３】
前記挿入体の一部又は全体に、該挿入体の厚み方向に貫通する開口部が複数形成された
請求項１又は２に記載の手袋用挿入体。
【請求項４】
前記挿入体が、前記手袋の内部に対し挿入が許容される大きさ及び形状に形成された
請求項１〜３のいずれか一つに記載の手袋用挿入体。
【請求項５】
前記挿入体に、前記手袋に形成された手の指が個別に挿入される複数の指挿入部と対応して、該各指挿入部に対し個別に挿入される複数の指部が形成された
請求項１〜４のいずれか一つに記載の手袋用挿入体。
【請求項６】
前記挿入体の全体が、前記手袋の内部に沿って挿入される曲り具合に弾性変位自在に形成された
請求項１〜５のいずれか一つに記載の手袋用挿入体。
【請求項７】
前記挿入体の各指部が、前記手袋の各指挿入部に沿って挿入される曲り具合に弾性変位自在に形成された
請求項５に記載の手袋用挿入体。
【請求項８】
前記挿入体の指部先端に、前記手袋に付与される接触抵抗が小さく、且つ、滑らかな曲面形状に形成された挿入案内体を取り付けた
請求項１〜７のいずれか一つに記載の手袋用挿入体。
【請求項９】
前記挿入体が、金属又はプラスチックで形成された
請求項１〜８のいずれか一つに記載の手袋用挿入体。
【考案の詳細な説明】
【技術分野】
【０００１】
例えば競技、作業等に使用された手袋に染み込んだ汗等の不快な臭いを消臭するとともに、清潔且つ衛生的な状態に保つ際に用いられる手袋用挿入体に関する。
【背景技術】
【０００２】
従来、前記手袋に染み込んだ汗等の不快な臭いを消臭するものとしては、例えば消臭剤、抗菌剤、殺菌剤等の薬剤を練り込むか、或いは、塗布された特許文献１の汚物処理用手袋と、消臭・抗菌加工された素材を使用した特許文献２のミトン型掃除用手袋がある。
【０００３】
しかし、特許文献１の汚物処理用手袋は、手袋自体に、消臭剤、抗菌剤、殺菌剤を練り込むか塗布しているので、手袋自体の消臭力、抗菌力、殺菌力が低下した場合、手袋自体を、薬剤が塗り込まれるか塗布された未使用の手袋に交換しなければならず、一つの手袋を何回も繰り返し使用することができない。
【０００４】
また、特許文献２のミトン型掃除用手袋も、消臭・抗菌加工された素材を使用しているため、素材自体の消臭力、抗菌力が低下した場合、手袋自体を、消臭・抗菌加工された素材からなる未使用の手袋に交換しなければならず、一つの手袋を何回も繰り返し使用することができない。
【先行技術文献】
【特許文献】
【０００５】
【特許文献１】特開２０００−６４１０８
【特許文献２】実用新案登録第３０７１９４４
【考案の概要】
【考案が解決しようとする課題】
【０００６】
この考案は、手袋に染み込んだ汗等の不快な臭いが消臭されるとともに、清潔且つ衛生的な状態に保つことができる手袋用挿入体の提供を目的とする。
【課題を解決するための手段】
【０００７】
この考案は、手袋内部に挿入される挿入体の外面に銅被膜がコーティングされた手袋用挿入体であることを特徴とする。
【０００８】
この考案の態様として、前記挿入体の一部外面又は外面全体に銅被膜をコーティングすることができる。
【０００９】
また、この考案の態様として、前記挿入体の一部又は全体に、該挿入体の厚み方向に貫通する開口部を複数形成することができる。
【００１０】
また、この考案の態様として、前記挿入体を、前記手袋の内部に対し挿入が許容される大きさ及び形状に形成することができる。
【００１１】
また、この考案の態様として、前記挿入体に、前記手袋に形成された手の指が個別に挿入される複数の指挿入部と対応して、該各指挿入部に対し個別に挿入される複数の指部が形成することができる。
【００１２】
また、この考案の態様として、前記挿入体の全体を、前記手袋の内部に沿って挿入される曲り具合に弾性変位自在に形成することができる。
【００１３】
また、この考案の態様として、前記挿入体の各指部を、前記手袋の各指挿入部に沿って挿入される曲り具合に弾性変位自在に形成することができる。
【００１４】
また、この考案の態様として、前記挿入体の指部先端に、前記手袋に付与される接触抵抗が小さく、且つ、滑らかな曲面形状に形成された挿入案内体を取り付けることができる。
【００１５】
また、この考案の態様として、前記挿入体を、金属又はプラスチックで形成することができる。
【００１６】
前記手袋は、例えばボーリング用の手袋、ゴルフ用の手袋、スキー用の手袋、サッカー用のキーパーグローブ、野球用のグローブ、ボクシング用のグローブ、剣道用の籠手、作業用の手袋等で構成することができる。  
つまり、手の指が個別に挿入される５本の指挿入部を有するグラブ型の手袋と、親指が挿入される親指挿入部と残り複数の指が挿入される指群挿入部に分けられたミトン型の手袋に大別することができる。
【００１７】
また、挿入体は、例えばステンレス、スチール、アルミニウム等の金属、或いは、プラスチック、セラミックス、木材等の材質で構成することができる。  
実施例では、ステンレス製の板からなる挿入体の外面に銅被膜をコーティングしているので、銅製の板で挿入体を構成するよりも安価である。しかし、銅製の板より安価であれば、ステンレス以外の材質として、スチール、アルミニウム等の金属を用いるか、プラスチック、セラミックス、木材等の材質を用いてもよい。
【００１８】
また、挿入体の外面に銅被膜をコーティングする方法としては、例えば銅を鍍金する鍍金方法、蒸着する蒸着処理、塗布する塗布方法、銅箔を貼り付ける貼着方法等の方法でコーティングすることができる。
【００１９】
なお、挿入体の一部とは、手の指、手の平、手の甲等のいずれか一つ又は複数の部分である。また、挿入体の全体とは、手の指、手の平、手の甲等の全てを含むものである。
【考案の効果】
【００２０】
この考案によれば、手が抜き取られた手袋の内部に、銅被膜がコーティングされた手袋用挿入体を挿入しておけば、銅被膜の抗菌作用、殺菌作用、消臭作用により、手袋に付着する雑菌の増殖が抑えられる。また、白癬菌、大腸菌、黄色ブドウ球菌等の菌が殺菌されるとともに、手袋に染み込んだ汗等の不快な臭いを消臭することができる。
【図面の簡単な説明】
【００２１】
【図１】グラブ型の手袋に挿入される手袋用挿入体を示す斜視図。
【図２】グラブ型の手袋に挿入される手袋用挿入体を示す正面図。
【図３】銅被膜がコーティングされた手袋用挿入体を示す図２のＡ−Ａ矢視線断面図。
【図４】グラブ型の手袋に手袋用挿入体を挿入した状態を示す正面図。
【図５】長尺サイズの手袋に手袋用挿入体を挿入した状態を示す正面図。
【図６】挿入体の一部外面に銅被膜がコーティングされた手袋用挿入体の他の例を示す正面図。
【図７】挿入体の表裏全体に開口部が形成された手袋用挿入体の他の例を示す正面図。
【図８】挿入体の指部先端に挿入案内体を取り付けた手袋用挿入体の他の例を示す正面図。
【図９】挿入体が弾性変位自在に設けられた手袋用挿入体の他の例を示す正面図。
【図１０】挿入体の指部が弾性変位自在に設けられた手袋用挿入体の他の例を示す正面図。
【図１１】挿入体の指部が手の指と酷似する外観形状に形成に形成された手袋用挿入体の他の例を示す正面図。
【図１２】ミトン型の手袋に挿入される手袋用挿入体の他の例を示す正面図。
【考案を実施するための形態】
【実施例】
【００２２】
図１は、グラブ型の手袋Ａに挿入される手袋用挿入体１Ａを示す斜視図、図２は、グラブ型の手袋Ａに挿入される手袋用挿入体１Ａを示す正面図、図３は、銅被膜３がコーティングされた手袋用挿入体１Ａを示す図２のＡ−Ａ矢視線断面図、図４は、グラブ型の手袋に手袋用挿入体１Ａを挿入した状態を示す正面図である。
【００２３】
実施例の手袋用挿入体１Ａは、手の指が個別に挿入されるグラブ型の手袋Ａに挿入され、手袋Ａに染み込んだ汗等の不快な臭いを消臭するとともに、手袋Ａを清潔且つ衛生的な状態に保つ際に用いられる。
【００２４】
手袋用挿入体１Ａは、グラブ型を有する手袋Ａの内部に対し挿入される大きさ及び形状に形成されたステンレス製の板からなる挿入体２の外面全体に、薄膜状の銅被膜３が略均一にコーティングされたものである。
【００２５】
挿入体２は、１枚以上の金属板を切り取ることが可能な大きさ及び形状に形成されたステンレス製の板を、図示しない打ち抜き機で打ち抜くか、或いは、レーザー切断機で切断する等して、グラブ型を有する手袋Ａの内部に対し挿入が許容される大きさ及び形状に形成されている（図４参照）。
【００２６】
なお、挿入体２は、大人用、女性用、子供用の手袋Ａに対応して、該手袋Ａの内部に対し挿入が許容されるサイズ（大きさ、形状、長さ、幅、厚み等）に形成されている。
【００２７】
挿入体２の中央部２ａは、グラブ型を有する手袋Ａの手の平或いは手の甲と対応する大きさ及び形状に形成されている。また、挿入体２の先端は、手袋Ａの親指挿入部Ａｂと、人差し指挿入部Ａｃと、中指挿入部Ａｄと、薬指挿入部Ａｅと、小指挿入部Ａｆとに対応して、親指部２ｂと、人差し指部２ｃと、中指部２ｄと、薬指部２ｅと、小指部２ｆとに５分割されている。
【００２８】
挿入体２の表裏両面を含む外面全体には、図示しない鍍金装置を用いて銅を鍍金するか、或いは、蒸着装置を用いて銅を蒸着させる等して、図３の（ａ）に示すように、挿入体２の外面全体に対して薄膜状の銅被膜３が略均一にコーティングされている。
【００２９】
また、図３の（ｂ）に示すように、挿入体２の表面或いは裏面の一方の面に対して薄膜状の銅被膜３を略均一にコーティングしてもよい。なお、銅被膜３は、抗菌作用、殺菌作用、消臭作用を発揮するのに十分な厚みに形成されている。
【００３０】
実施例において、挿入体２の厚みは、１ｍｍ〜１．５ｍｍの範囲に含まれる厚みに形成されているが、例えば１ｍｍ以下又は１．５ｍｍ以上の厚みに変更してもよい。
【００３１】
挿入体２の指部２ｂ，２ｃ，２ｄ，２ｅ，２ｆは、グラブ型の手袋Ａに形成された親指挿入部Ａｂと、人差し指挿入部Ａｃと、中指挿入部Ａｄと、薬指挿入部Ａｅと、小指挿入部Ａｆとに対し個別に挿入が許容される大きさ、形状、長さ、幅、厚みに形成されている。
【００３２】
指部２ｂ〜２ｆは、指の根元側から指先側に向けて徐々に幅狭となる形状に形成されている。また、指部２ｂ〜２ｆの先端は、正面から見て滑らかな半円形状に形成されている。これにより、手袋Ａの挿入部Ａｂ，Ａｃ，Ａｄ，Ａｅ，Ａｆに対する挿入及び抜き取りが容易に行える。
【００３３】
また、挿入体２の後端には、牽引紐５の一端に連結された連結金具６を取り付けるための孔部２ｅが形成されている。一方、牽引紐５の他端には、長尺サイズの手袋Ａの開口側周縁部に引っ掛けるためのフック７が取り付けられている。  
なお、牽引紐５の代わりに、例えば撚り紐、チェーン、ワイヤー、ベルト、テープ、コード等の柔軟性を有する紐状物を用いてもよい。
【００３４】
図示実施例は前記の如く構成するものにして、以下、手袋用挿入体１Ａの使用例を説明する。
【００３５】
手袋Ａの使用後において、手が抜き取られたグラブ型を有する手袋Ａの内部に、グラブ型手袋用の手袋用挿入体１Ａを挿入する。実施例では、牽引紐５が取り外された挿入体２を手袋Ａに挿入するが、牽引紐５が取り付けられた挿入体２を手袋Ａに挿入してもよい。
【００３６】
つまり、手袋Ａの親指挿入部Ａｂと、人差し指挿入部Ａｃと、中指挿入部Ａｄと、薬指挿入部Ａｅと、小指挿入部Ａｆとに、手袋用挿入体１Ａの親指部２ｂと、人差し指部２ｃと、中指部２ｄと、薬指部２ｅと、小指部２ｆとが個別に挿入される。
【００３７】
手が抜き取られた手袋Ａの内部に、銅被膜３がコーティングされた手袋用挿入体１Ａを挿入しておけば、銅被膜３の抗菌作用、殺菌作用、消臭作用により、手袋Ａに付着する雑菌の増殖が抑えられる。また、白癬菌、大腸菌、黄色ブドウ球菌等の菌が殺菌され、手袋Ａに染み込んだ汗等の不快な臭いが消臭されるので、清潔且つ衛生的な状態に保つことができる。
【００３８】
また、ステンレス製の板からなる挿入体２の外面全体に銅被膜３を略均一にコーティングするので、銅製の板からなる挿入体２に銅被膜３をコーティングするよりもコストが安く、安価に製造及び販売することができる。
【００３９】
また、手が抜き取られた手袋Ａの内部に、該手袋Ａと対応する大きさ及び形状に形成された手型の手袋用挿入体を挿入しておけば、手袋Ａ全体が人の手と対応する形状に保持されるので、手袋Ａの指を挿入する挿入部Ａｂ〜Ａｆが捩れるか、折れ曲がるのを防止することができる。これにより、手袋Ａを装着する際に、手袋Ａの内部に対し手及び指をスムースに挿入することができる。
【００４０】
また、手袋用挿入体１Ａを表裏反転すれば、左用手袋Ａ或いは右用手袋Ａのどちらにも挿入することができる。つまり、１枚の手袋用挿入体１Ａを左用及び右用として兼用することができるので、右用及び左用の手袋用挿入体１Ａを製作する必要がなく、製作コストの低減を図ることができる。
【００４１】
また、腕の肘或いは上腕が覆われる程の長尺サイズに形成された手袋Ａに手袋用挿入体１Ａを挿入する場合、手が抜き取られた手袋Ａの内部に手袋用挿入体１Ａを挿入した際に、手袋Ａの開口側周縁部にフック７を引っ掛けておく（図５参照）。
【００４２】
これにより、長尺サイズの手袋Ａに染み込んだ汗等の不快な臭いが消臭されるとともに、清潔且つ衛生的な状態に保つことができる。また、長尺サイズの手袋Ａを使用する際に、手袋Ａの開口側周縁部に引っ掛けられたフック７を手で把持して引き抜けば、手袋Ａに挿入された手袋用挿入体１Ａを簡単且つ容易に抜き取ることができる。
【００４３】
図６は、前記挿入体２の一部外面に銅被膜３がコーティングされた手袋用挿入体１Ａの他の例を示す正面図である。  
図６の（ｃ）示す手袋用挿入体１Ａは、手袋Ａの手の平部Ａａと対応する挿入体２の中央部２ａの外面に銅被膜３をコーティングされている。また、図６の（ｄ）に示す手袋用挿入体１Ａは、挿入体２の親指部２ｂ、人差し指部２ｃ、中指部２ｄ、薬指部２ｅ、小指部２ｆの外面に銅被膜３がコーティングされている。
【００４４】
つまり、手が抜き取られた手袋Ａの内部に、図６の（ｃ）又は（ｄ）に示す銅被膜３がコーティングされた手袋用挿入体１Ａを挿入しておけば、挿入体２の中央部２ａ或いは指部２ｂ〜２ｆにコーティングされた銅被膜３の抗菌作用、殺菌作用、消臭作用により、手袋Ａに染み込んだ汗等の不快な臭いが消臭されるとともに、清潔且つ衛生的な状態に保たれるので、前記実施例と略同等の作用及び効果を奏することができる。
【００４５】
なお、図６に示す手袋用挿入体１Ａの構成は、後述する手袋用挿入体１Ｂにも適用することができる。つまり、ミトン型を有する挿入体２の一部外面に銅被膜３をコーティングすれば、前記実施例と略同等の作用及び効果を奏することができる。
【００４６】
図７は、挿入体２の表裏全体に開口部４が複数形成された手袋用挿入体１Ａの他の例を示す正面図である。  
開口部４は、挿入体２の厚み方向に貫通して形成されており、手袋Ａの手の平部に相当する挿入体２の中央部２ａ、親指部２ｂ、人差し指部２ｃ、中指部２ｄ、薬指部２ｅ、小指部２ｆに配置されている。
【００４７】
つまり、手袋Ａに挿入された挿入体２の開口部４…を通して、挿入体２の表側及び裏側に存在する空気或いは雰囲気が効率よく通気されるので、手袋Ａの抗菌、殺菌、消臭に要する処理時間を短縮することができる。また、汗や湿気等の水分も効率よく通気されるので、雑菌や異臭等が発生するのを防止することができる。また、開口部４の通気が妨げられる心配がなく、通気性が安定して得られる。
【００４８】
また、開口部４…の開口面積が、該開口部４…を除いた挿入体２の残り部分の面積より大きくても、挿入体２の残り部分にコーティングされた銅被膜３により前記実施例と略同等の作用及び効果が得られる。  
これにより、挿入体２及び銅被膜３の使用量が少なくて済み、製造時のコストが低減されるため、安価に製造及び販売することができる。また、開口部４の開口面積が大きくなるほど、手袋用挿入体１Ａの重量が軽くなるので、軽量化が図れるとともに、取り扱い性が向上する。
【００４９】
なお、開口部４を、挿入体２の中央部２ａ、親指部２ｂ、人差し指部２ｃ、中指部２ｄ、薬指部２ｅ、小指部２ｆのいずれか一つの部分或いは複数の部分に形成してもよい。
【００５０】
また、図７に示す手袋用挿入体１Ａの構成は、後述する手袋用挿入体１Ｂにも適用することができる。つまり、ミトン型を有する挿入体２の表裏全体に開口部４を複数形成すれば、前記実施例と略同等の作用及び効果を奏することができる。
【００５１】
図８は、挿入体２の指部２ｂ〜２ｆの先端に、手袋Ａに付与される接触抵抗が小さく滑らかな曲面形状に形成された挿入案内体８を取り付けた手袋用挿入体１Ａの他の例を示す正面図である。
【００５２】
挿入案内体８は、手袋Ａに付与される接触抵抗が小さいプラスチック（例えばポリエステル、ＡＢＳ樹脂、ポリプロピレン、ポリエチレン、ポリスチレン、アクリル、ポリカーボネイト、ポリアセタール等）を用いて、人の手の指先と酷似する外観形状に形成されている。
【００５３】
先ず、手が抜き取られたグラブ型を有する手袋Ａの内部に、グラブ型手袋用の手袋用挿入体１Ａを挿入する際、挿入体２の指部２ｂ〜２ｆに取り付けられた挿入案内体８によって、手袋Ａの挿入部Ａｂ〜Ａｆが外側に向けて押し広げられる。  
また、手袋Ａの挿入部Ａｂ〜Ａｆと、挿入体２の指部２ｂ〜２ｆとの間に生じる接触抵抗が軽減されるので、手袋Ａの挿入部Ａｂ〜Ａｆに対し挿入体２の指部２ｂ〜２ｆをスムースに挿入することができる。
【００５４】
また、手袋Ａの挿入部Ａｂ〜Ａｆが、挿入案内体８によって手の指先と対応する形状に保持されるだけでなく、手袋Ａの挿入部Ａｂ〜Ａｆと、挿入体２の指部２ｂ〜２ｆとの間に、挿入案内体８の厚みに相当する隙間が形成される。
【００５５】
これにより、手袋Ａ内部の通気性が向上し、挿入体２にコーティングされた銅被膜３の抗菌作用、殺菌作用、消臭作用により、手袋Ａに染み込んだ汗等の不快な臭いが短い時間で消臭されるとともに、清潔且つ衛生的な状態に保たれるので、前記実施例と略同等の作用及び効果を奏することができる。
【００５６】
なお、手袋Ａに付与される接触抵抗が小さければ、例えばセラミックス、カーボン、グラスファイバー、ガラス等のプラスチック以外の材質で挿入案内体８を形成してもよい。また、指部２ｂ〜２ｆの先端を、挿入案内体８と酷似する大きさ及び形状に形成してもよい。
【００５７】
また、図８に示す手袋用挿入体１Ａの構成は、後述する手袋用挿入体１Ｂにも適用することができる。つまり、前記挿入体２の親指部２ｂ及び複数指部２ｉの先端に、該先端が覆われる大きさ及び形状に形成された図示しない挿入案内体を取り付ければ、前記実施例と略同等の作用及び効果を奏することができる。
【００５８】
図９は、ミトン型の手袋Ｂに挿入される挿入体２が厚み方向に対し弾性変位自在に設けられた手袋用挿入体１Ａの他の例を示す斜視図である。  
挿入体２の中央部２ａ及び指部２ｂ〜２ｆは、厚み方向に対し弾性変化が許容される板厚及び剛性に形成されている。
【００５９】
つまり、図９の（ｅ）に示すボクシング用のグローブからなる手袋Ｂ、或いは、図９の（ｆ）に示す剣道用の籠手からなる手袋Ｂの内部に、手袋用挿入体１Ａを挿入する際、挿入体２の中央部２ａ及び指部２ｂ〜２ｆが、手袋Ｂの親指挿入部Ｂｂ及び複数指挿入部Ｂｃに沿って指部２ｂ〜２ｆが挿入される方向及び角度、曲り具合に弾性変位する。
【００６０】
これにより、手袋Ｂの親指挿入部Ｂｂ及び複数指挿入部Ｂｃが曲がっていても、親指挿入部Ｂｂ及び複数指挿入部Ｂｃの指先まで挿入体２の指部２ｂ〜２ｆがスムースに挿入される。  
また、挿入体２にコーティングされた銅被膜３の抗菌作用、殺菌作用、消臭作用によって、手袋Ｂに染み込んだ汗等の不快な臭いが消臭されるとともに、清潔且つ衛生的な状態に保たれるので、前記実施例と略同等の作用及び効果を奏することができる。
【００６１】
手に手袋Ｂを装着する際に、手袋Ｂに挿入された手袋用挿入体１Ａを抜き取れば、挿入体２に蓄積された復元力によって、挿入体２の中央部２ａ及び指部２ｂ〜２ｆが挿入前の平坦な状態に弾性復帰する。
【００６２】
なお、挿入体２の中央部２ａ及び指部２ｂ〜２ｆのいずれか一方を、厚み方向に対し弾性変化が許容される板厚及び剛性に形成してもよい。  
また、手袋用挿入体１Ａの挿入体２を、可撓性或いは柔軟性を有するプラスチック製の板で構成してもよい。
【００６３】
また、図９に示す手袋用挿入体１Ａの構成は、後述する手袋用挿入体１Ｂにも適用することができる。つまり、挿入体２の中央部２ａ及び／又は指部２ｂ，２ｉを厚み方向に対し弾性変位自在に形成すれば、前記実施例と略同等の作用及び効果を奏することができる。
【００６４】
図１０は、挿入体２の指部２ｂ〜２ｆが、手袋Ａの挿入部Ａｂ〜Ａｆに沿って指部２ｂ〜２ｆが挿入される方向及び角度、曲り具合に弾性変位自在に設けられた手袋用挿入体１Ａの他の例を示す正面図である。  
指部２ｂ〜２ｆの根元と指先との間は、柔軟性を有するステンレス製のコイルスプリング９で連結されている。また、コイルスプリング９の外面には、薄膜状の銅被膜３が略均一にコーティングされている。
【００６５】
つまり、手が抜き取られた手袋Ａの内部に手袋用挿入体１Ａを挿入する際、挿入体２の指部２ｂ〜２ｆに取り付けられたコイルスプリング９が、手袋Ａの挿入部Ａｂ〜Ａｆに沿って指部２ｂ〜２ｆが挿入される方向及び角度、曲り具合に弾性変位する。
【００６６】
これにより、手袋Ａの挿入部Ａｂ〜Ａｆが折れ曲がっていても、挿入部Ａｂ〜Ａｆの指先まで挿入体２の指部２ｂ〜２ｆがスムースに挿入される。  
また、挿入体２及びコイルスプリング９にコーティングされた銅被膜３の抗菌作用、殺菌作用、消臭作用によって、手袋Ａに染み込んだ汗等の不快な臭いが短い時間で消臭されるとともに、清潔且つ衛生的な状態に保たれるので、前記実施例と略同等の作用及び効果を奏することができる。
【００６７】
手に手袋Ａを装着する際に、手袋Ａに挿入された手袋用挿入体１Ａを抜き取れば、コイルスプリング９に蓄積された復元力によって、挿入体２の指部２ｂ〜２ｆが挿入前の真っ直ぐな状態に弾性復帰する。
【００６８】
なお、図１０に示す手袋用挿入体１Ａの構成は、後述する手袋用挿入体１Ｂにも適用することができる。つまり、親指部２ｂ及び／又は複数指部２ｉの根元と指先との間にコイルスプリング９を連結すれば、前記実施例と略同等の作用及び効果を奏することができる。  
また、コイルスプリング９の代わりに、金属製或いはプラスチック製の板バネを用いてもよい。
【００６９】
図１１は、挿入体２の指部２ｂ〜２ｆが手の指と酷似する外観形状に形成に形成された手袋用挿入体１Ａの他の例を示す正面図である。  
指部２ｂ〜２ｆは、指部２ｂ〜２ｆの両側縁部に連設された一対の辺部２ｈを表面側或いは裏面側へ折り曲げて中空断面形状に形成されている。また、指部２ｂ〜２ｆの先端は、該先端から見て滑らかな半球形状に形成されている。
【００７０】
先ず、手が抜き取られたグラブ型を有する手袋Ａの内部に、グラブ型手袋用の手袋用挿入体１Ａを挿入する際、挿入体２の指部２ｂ〜２ｆによって、手袋Ａの挿入部Ａｂ〜Ａｆが外側に向けて押し広げられるので、手袋Ａの挿入部Ａｂ〜Ａｆに対し挿入体２の指部２ｂ〜２ｆをスムースに挿入することができる。
【００７１】
また、手袋Ａの挿入部Ａｂ〜Ａｆが、挿入体２の指部２ｂ〜２ｆによって人の手の指先と対応する形状に保持されるだけでなく、挿入部Ａｂ〜Ａｆの内部に沿って円筒形状の空間が長手方向に形成される。
【００７２】
これにより、特に挿入部Ａｂ〜Ａｆの通気性が向上し、指部２ｂ〜２ｆを含む挿入体２にコーティングされた銅被膜３の抗菌作用、殺菌作用、消臭作用により、手袋Ａに染み込んだ汗等の不快な臭いが短い時間で消臭されるとともに、清潔且つ衛生的な状態に保たれるので、前記実施例と略同等の作用及び効果を奏することができる。
【００７３】
なお、図１１に示す手袋用挿入体１Ａの構成は、後述する手袋用挿入体１Ｂにも適用することができる。つまり、手袋用挿入体１Ｂの挿入体２の親指部２ｂ及び複数指部２ｉを中空断面形状に形成すれば、前記実施例と略同等の作用及び効果を奏することができる。
【００７４】
図１２は、ミトン型の手袋Ｂに挿入される手袋用挿入体１Ｂの他の例を示す正面図である。  
本実施例の手袋用挿入体１Ｂは、ミトン型を有する手袋Ｂの内部に対し挿入が許容される大きさ及び形状に形成されたステンレス製の板からなる挿入体２の外面全体に、薄膜状の銅被膜３が略均一にコーティングされたものである。
【００７５】
挿入体２の中央部２ａは、ミトン型を有する手袋Ｂの手の平部Ｂａと対応する大きさ及び形状に形成されている。また、挿入体２の先端は、後述する手袋Ｂの親指挿入部Ｂｂに挿入される親指部２ｂと、手袋Ｂの複数指挿入部Ｂｃに挿入される複数指部２ｉとに２分割されている。
【００７６】
なお、ミトン型を有する手袋Ｂは、手の親指のみが挿入される親指挿入部Ｂｂと、残り４本の指が一緒に挿入される複数指挿入部Ｂｃとに分けられている。
【００７７】
先ず、手が抜き取られたミトン型を有する手袋Ｂの内部に、ミトン型手袋用の手袋用挿入体１Ｂを挿入する。つまり、手袋Ｂの親指挿入部Ｂｂに挿入体２の親指部２ｂを挿入する。また、手袋Ｂの複数指挿入部Ｂｃに挿入体２の複数指部２ｉを挿入する。
【００７８】
これにより、挿入体２にコーティングされた銅被膜３の抗菌作用、殺菌作用、消臭作用により、手袋Ｂに染み込んだ汗等の不快な臭いが消臭されるとともに、清潔且つ衛生的な状態に保たれるので、前記実施例と略同等の作用及び効果を奏することができる。
【００７９】
また、ミトン型手袋用の手袋用挿入体１Ｂの代わりに、ミトン型を有する手袋Ｂの内部に対し前記実施例のグラブ型手袋用の手袋用挿入体１Ａを挿入してもよい。
【００８０】
この考案の構成と、前記実施形態との対応において、
この考案の手袋は、グラブ型の手袋Ａと、ミトン型の手袋Ｂとに対応するも、
この考案は、上述の実施形態の構成のみに限定されるものではなく、請求項に示される技術思想に基づいて応用することができ、多くの実施の形態を得ることができる。
【００８１】
なお、実施例の挿入体２を、銅製の板で構成してもよく、前記実施例と略同等の作用及び効果を奏することができる。
【符号の説明】
【００８２】
Ａ，Ｂ…手袋
Ａａ，Ｂａ…手の平部
Ａｂ，Ｂｂ…親指挿入部
Ａｃ…人差し指挿入部
Ａｄ…中指挿入部
Ａｅ…薬指挿入部
Ａｆ…小指挿入部
Ｂｃ…複数指挿入部
１Ａ，１Ｂ…手袋用挿入体
２…挿入体
２ａ…中央部
２ｂ…親指部
２ｃ…人差し指部
２ｄ…中指部
２ｅ…薬指部
２ｆ…小指部
２ｇ…孔部
２ｈ…辺部
２ｉ…複数指部
３…銅被膜
４…開口部
５…牽引紐
６…連結金具
７…フック
８…挿入案内体
９…コイルスプリング
【図１】
0003152429.tif 000003
【図２】
0003152429.tif 000004
【図３】
0003152429.tif 000005
【図４】
0003152429.tif 000006
【図５】
0003152429.tif 000007
【図６】
0003152429.tif 000008
【図７】
0003152429.tif 000009
【図８】
0003152429.tif 000010
【図９】
0003152429.tif 000011
【図１０】
0003152429.tif 000012
【図１１】
0003152429.tif 000013
【図１２】
0003152429.tif 000014